(57)【要約】【課題】点検時におけるブローアウトパネルの損傷を防止でき、且つブローアウトパネルの圧力開放機能を阻害しないブローアウトパネル防護装置を提供する。【解決手段】ブローアウトパネル防護装置１２は、複数の防護カバー１３、巻き取り装置１５及び収納ボックス１９を有する。防護カバー１３同士が繋ぎリング１４で連結される。巻き取り装置１５からの吊りワイヤ１６Ａ，１６Ｂが最も上方に位置する防護カバー１３に取り付けられる。各防護カバー１２を折り畳んで収納する収納ボックス１９がサブブローアウトパネル装置８Ａの下方に設けられる。機器の保守点検時に、最も上方に位置すべき防護カバー１３が、巻き取り装置１５の回転によりサブブローアウトパネル装置８Ａの上端まで引き上げられ、サブブローアウトパネル装置８Ａの前面を被う。保守点検終了後に、防護カバー１３が降ろされて収納ボックス１９内に収納される。【選択図】図１
2010078422.tif 000002
【特許請求の範囲】
【請求項１】
機器の点検前に、下方から上方に引き上げられた複数の防護カバーでブローアウトパネル装置の少なくとも一方の面を被い、前記機器の点検終了後に前記ブローアウトパネル装置の前記面を被っている前記防護カバーを下方に向かって移動させて前記防護カバーをブローアウトパネル装置の前から実質的に取り除くことを特徴とするブローアウトパネルの防護方法。
【請求項２】
前記機器が、前記ブローアウトパネル装置が設置されている、原子力プラントの主蒸気管トンネル室内に存在している請求項１に記載のブローアウトパネルの防護方法。
【請求項３】
ブローアウトパネル装置に向かい合って配置され、相互に連結された複数の防護カバーと、前記複数の防護カバーを収納する防護カバー収納手段と、前記防護カバー収納手段内の前記防護カバーを、前記ブローアウトパネル装置の下端部から前記ブローアウトパネル装置の上端部に向かって、前記ブローアウトパネル装置の一面を被うように引き上げ、且つ前記ブローアウトパネル装置を被っている前記防護カバーを前記防護カバー収納手段内へ降ろす駆動装置とを備えたことを特徴とするブローアウトパネル防護装置。
【請求項４】
前記駆動装置が、最も上方に位置すべき前記防護カバーに取り付けられた線状部材、及び前記線状部材を巻き付け、巻き戻す巻き取り装置を含んでいる請求項３に記載のブローアウトパネル防護装置。
【請求項５】
前記ブローアウトパネル防護装置が前記ブローアウトパネル装置に向かい合って設置されたとき、前記線状部材が、前記ブローアウトパネル装置の高さ方向に伸びるフレームの重なる位置に設けられる請求項４に記載のブローアウトパネル防護装置。
【発明の詳細な説明】
【技術分野】
【０００１】
本発明は、ブローアウトパネルの防護方法及びブローアウトパネル防護装置に係り、特に、原子力発電プラントの原子炉建屋内に設置されたブローアウトパネルを防護するのに好適なブローアウトパネルの防護方法及びブローアウトパネル防護装置に関する。
【背景技術】
【０００２】
原子力プラント、例えば、沸騰水型原子力発電プラントでは、原子炉建屋内に形成された主蒸気管トンネル室にブローアウトパネル装置が設置されている。このブローアウトパネル装置は、複数のブローアウトパネルを有し、沸騰水型原子力発電プラントの運転時において原子炉建屋の気密性を保持する。また、ブローアウトパネル装置は、原子炉圧力容器に接続された主蒸気管が破断したときのように主蒸気トンネル室内の圧力が上昇する事故が発生したときには、ブローアウトパネルを破断して主蒸気トンネル外に圧力を逃す機能も有する。特開昭６１−２０４５８８号公報、特開昭６３−２２３５９２号公報及び特開平２−１６４９５号公報は、ブローアウトパネルを主蒸気トンネル室に設けることを記載している。
【０００３】
沸騰水型原子力発電プラントでは、１つの運転サイクルの運転が終了したとき、その運転を停止し、定期検査が実施される。主蒸気管トンネル室内に存在する機器に対しても、定期検査が実施される。
【０００４】
【特許文献１】特開昭６１−２０４５８８号公報
【特許文献２】特開昭６３−２２３５９２号公報
【特許文献３】特開平２−１６４９５号公報
【発明の開示】
【発明が解決しようとする課題】
【０００５】
主蒸気管トンネル室内の機器に対する定期検査のために吊り足場を運搬しているときに誤って吊り足場をぶつけてブローアウトパネルを損傷させる可能性がある。さらには、その定期検査中に誤って工具をブローアウトパネルにぶつけてブローアウトパネルを損傷させる可能性がある。ブローアウトパネルが損傷した場合には、損傷したブローアウトパネルを新しいブローアウトパネルと取り替える必要があり、ブローアウトパネルの交換作業が発生する。
【０００６】
本発明の目的は、ブローアウトパネルの圧力開放機能を阻害しなく、点検時におけるブローアウトパネルの損傷を防止できるブローアウトパネルの防護方法及びブローアウトパネル防護装置を提供することにある。
【課題を解決するための手段】
【０００７】
上記した目的を達成する本発明の特徴は、機器の検査前に、下方から上方に引き上げられた複数の防護カバーでブローアウトパネル装置の少なくとも一方の面を被い、その機器の点検終了後に前記ブローアウトパネル装置のその面を被っている防護カバーを下方に向かって移動させて防護カバーをブローアウトパネル装置の前から実質的に取り除くことにある。
【０００８】
点検時にブローアウトパネル装置を複数の防護カバーで被って機器の点検を行うので、この点検時にブローアウトパネル装置のブローアウトパネルが損傷することを防止できる。その点検が終了したとき、ブローアウトパネル装置を被っている防護カバーを下方に向かって移動させて防護カバーをブローアウトパネル装置の前から実質的に取り除くので、ブローアウトパネルに圧力が加わる事故が発生したとき、ブローアウトパネルが破断する。このため、ブローアウトパネルの圧力開放機能が阻害されない。
【０００９】
上記の目的は、ブローアウトパネル装置に向かい合って配置され、相互に連結された複数の防護カバーと、複数の防護カバーを収納する防護カバー収納手段と、防護カバー収納手段内の防護カバーを、ブローアウトパネル装置の下端部からブローアウトパネル装置の上端部に向かって、ブローアウトパネル装置の一面を被うように引き上げ、且つブローアウトパネル装置を被っている防護カバーを防護カバー収納手段内へ降ろす駆動装置とを備えることによっても達成できる。
【発明の効果】
【００１０】
本発明によれば、ブローアウトパネルの圧力開放機能を阻害しなく、機器の点検時におけるブローアウトパネルの損傷を防止することができる。
【発明を実施するための最良の形態】
【００１１】
本発明の実施例を以下に説明する。
【実施例１】
【００１２】
本発明の好適な一実施例である実施例１のブローアウトパネル防護装置を、図面を用いて説明する。まず、ブローアウトパネル防護装置が適用される沸騰水型原子力発電プラントの概要を、図２を用いて説明する。
【００１３】
沸騰水型原子力発電プラントは、原子炉建屋１及びタービン建屋２を有する。原子炉建屋１内には、原子炉圧力容器３が設置され、円筒状のγ線遮蔽体２７が原子炉圧力容器３の周囲を取り囲んでいる。原子炉格納容器４は、原子炉圧力容器３を取り囲み、原子炉建屋１内に設置されている。主蒸気管トンネル室７が原子炉建屋１内に形成されている。原子炉圧力容器３に接続された複数の主蒸気管５が原子炉格納容器４に設けられた配管貫通部を通って主蒸気管トンネル室７内に達している。これらの主蒸気管５は、主蒸気管トンネル室７を通ってタービン建屋２内に設置されたタービン（図示せず）に接続される。
【００１４】
ブローアウトパネル装置８が、主蒸気管トンネル室７を仕切るように主蒸気管トンネル室７内に設置されている。主蒸気管トンネル室７の側壁にも、二箇所に、ブローアウトパネル装置２２，２３が設置される。
【００１５】
図１に示されたサブブローアウトパネル装置８Ａは、ブローアウトパネル装置８の一部である。ブローアウトパネル装置８の一部を便宜的にサブブローアウトパネル装置と称する。サブブローアウトパネル装置８Ａは、縦横に配置されたフレーム９を組み合わせた支持枠１０を有し、複数のブローアウトパネル１１を支持枠１０に取り付けている。サブブローアウトパネル装置８Ａは９枚のブローアウトパネル１１を設けている。ブローアウトパネル装置８は主蒸気管トンネル室７を仕切っているので、主蒸気管トンネル室７内に配置される複数の主蒸気管５がブローアウトパネル装置８を貫通する。ブローアウトパネル装置８は、これらの主蒸気管５の配置との関係で、複数のサブブローアウトパネル装置８Ａ及び他の形状の複数のサブブローアウトパネル装置を組み合わせて構成される。後者のサブブローアウトパネル装置としては、例えば、６枚のブローアウトパネル１１を有するサブブローアウトパネル装置及び２枚のブローアウトパネル１１を有するサブブローアウトパネル装置がある。主蒸気管５が貫通する、支持枠１０の１つの升目には鋼板（図示せず）が配置され、主蒸気管５と支持枠１０の間を塞いでいる。この鋼板の配置例は、例えば、後述の図５に示されている。
【００１６】
ブローアウトパネル装置２２，２３は、配管が貫通しないので、サブブローアウトパネル装置８Ａのように構成されている。
【００１７】
本実施例のブローアウトパネル防護装置１２は、複数の防護カバー１３、巻き取り装置１５、吊りワイヤ１６Ａ，１６Ｂ及び収納ボックス１９を備えている。防護カバー１３は、薄いアルミ板で作られ、サブブローアウトパネル装置８Ａと同じ横幅を有している。防護カバー１３同士が、互いに、繋ぎリング１４によって連結されている。繋ぎリング１４は防護カバー１３の両端部に設けられる。繋ぎリング１４によって繋がれた各防護カバー１３は、折り畳まれて積み重ねることができる。
【００１８】
ブローアウトパネル防護装置１２の防護カバー１３は、サブブローアウトパネル装置８Ａに面して配置され、ブローアウトパネル１１の、圧力を逃がす方向においてサブブローアウトパネル装置８Ａの、主蒸気管トンネル室７内の圧力上昇時に圧力が加わる面に向かい合うように配置される。フック１７Ａ，１８Ｂが、サブブローアウトパネル装置８Ａの上端部に位置して横に伸びるフレーム９に取り付けられる。フック１７Ａは、サブブローアウトパネル装置８Ａの縦方向に伸びる１本のフレーム９の延長線上に位置している。フック１７Ｂも、サブブローアウトパネル装置８Ａの縦方向に伸びる他のフレーム９の延長線上に位置している。
【００１９】
吊りワイヤ１６Ａ，１６Ｂが最も上方に位置すべき防護カバー１３の上端に取り付けられる。吊りワイヤ１６Ａは、フック１７Ａ及び滑車１８に掛けられて巻き取り装置１５に
巻き付けられる。吊りワイヤ１６Ｂは、フック１７Ｂ及び滑車１８に掛けられて巻き取り装置１５に巻き付けられる。滑車１８はブローアウトパネル装置８の支持枠１０に設置されている。巻き取り装置１５は主蒸気管トンネル室７の側壁に設置される。サブブローアウトパネル装置８Ａの下方に、積み重ねられた各防護カバー１２を収納する収納ボックス１９が設けられている。最も下方に位置すべき防護カバー１３の下端部が止め金具２０によって収納ボックス１９の底面に取り付けられている。ガイドレール２１Ａ，２１Ｂがサブブローアウトパネル装置８Ａの水平方向における両端部に位置して縦方向に伸びる支持枠１０にそれぞれ取り付けられている。各防護カバー１３の両端部は、ガイドレール２１Ａ，２１Ｂ内に配置される。
【００２０】
１つの運転サイクルでの沸騰水型原子力発電プラントの運転が終了してその運転が停止された後、沸騰水型原子力発電プラントに対する定期検査が実施される。主蒸気管トンネル室内に存在する機器に対しても、定期検査が実施される。この定期検査の開始時に、巻き取り装置１５を回転させて吊りワイヤ１６Ａ，１６Ｂを巻き取り装置１５に巻き付ける。この操作によって、収納ボックス１９内に折り畳まれて積み重ねられている各防護カバー１３が、順次、収納ボックス１９から取り出されてサブブローアウトパネル装置８Ａの上端に向って上昇する。巻き取り装置１５は作業員によって回転される。モータを用いて巻き取り装置１５を回転させてもよい。最も上方に位置すべき防護カバー１３の上端がサブブローアウトパネル装置８Ａの上端に到達したとき、巻き取り装置１５の回転が停止される。各防護カバー１３の両端部は、防護カバー１３の上昇時においてガイドレール２１Ａ，２１Ｂによってガイドされる。サブブローアウトパネル装置８Ａの一面の全領域が複数の防護カバー１３によって被われる。巻き取り装置１５は、逆回転を防止するためにロックされる。他のサブブローアウトパネル装置の全面も、同様に、ブローアウトパネル防護装置の各防護カバーで被われる。
【００２１】
ブローアウトパネル装置２２，２３の内面にも、それぞれ、ブローアウトパネル防護装置１２が設けられる。定期検査時においては、ブローアウトパネル装置２２，２３の内面の全領域が、ブローアウトパネル装置８と同様に、それぞれのブローアウトパネル防護装置１２の各防護カバー１３によって被われる。
【００２２】
定期検査時に行われる、主蒸気管トンネル室７内に配置された機器の保守点検作業は、ブローアウトパネル装置の一面がブローアウトパネル防護装置の各防護カバー１３で被われた状態で行われる。その保守点検作業が終了したとき、巻き取り装置１５が逆回転され、巻き取り装置１５から吊りワイヤ１６Ａ，１６Ｂが巻き戻される。吊りワイヤ１６Ａ，１６Ｂの巻き戻しによって、各防護カバー１３がガイドレール２１Ａ，２１Ｂに沿って下降し、下方の防護カバー１３から順番に収納ボックス１９内に折り畳まれて積み重ねられる。最も上端に位置する防護カバー１３が収納ボックス１９内に収納されたとき、巻き取り装置１５の回転が停止される。
【００２３】
定期検査が終了した後、沸騰水型原子力発電プラントの運転が開始される。沸騰水型原子力発電プラントの運転時においては、全ての防護カバー１３が収納ボックス１９内に収納されており、ブローアウトパネル装置８，２２，２３に対向して、防護カバー１３が存在しない。
【００２４】
本実施例は、保守点検時にブローアウトパネル装置の前面を複数の防護カバーで被って機器の保守点検を行うので、機器の保守点検に用いる用具によってブローアウトパネル装置のブローアウトパネル１１が損傷することを防止できる。これは、その用具がブローアウトパネル１１に損傷を与えようとしても、その用具がブローアウトパネル１１に向かい合っている防護カバー１３に当たる。したがって、用具がブローアウトパネル１１に当たることを阻止することができ、ブローアウトパネル１１が損傷を受けることがない。このため、本実施例は、機器の保守点検により損傷を受けたブローアウトパネルの交換作業を実質的になくすことができる。
【００２５】
保守点検が終了したとき、各防護カバー１３は下方に位置する収納ボックス１９内に収納され、沸騰水型原子力発電プラントの運転時には、ブローアウトパネル装置の前面を防護パネル１３が被っていない。このため、沸騰水型原子力発電プラントの運転時に主蒸気管トンネル室７内で主蒸気管５にき裂が入って（または主蒸気管５の破断によって）蒸気が主蒸気管５から洩れて主蒸気管トンネル室７内の圧力が上昇したとき、この圧力上昇によってブローアウトパネル１１が破断して圧力を逃し、主蒸気管トンネル室７内の圧力を低下させる。すなわち、本実施例のブローアウトパネル防護装置１２は、沸騰水型原子力発電プラントの運転時に蒸気漏洩事故が生じたときにおけるブローアウトパネルの圧力開放機能を阻害することがない。
【００２６】
ブラインドカーテンのように、ブローアウトパネル装置の上端部に引き上げて保持している各防護カバーを、沸騰水型原子力発電プラントの定期検査時に、降ろしてブローアウトパネル装置の一面を被うことも考えられる。これによっても、機器の保守点検時にブローアウトパネルが損傷を受けることを防護カバーで防止することができる。しかしながら、沸騰水型原子力発電プラントの運転時に、上方に引き上げられている防護カバーが何らかの原因で落下した場合、ブローアウトパネル装置の前面を被ってしまう。ブローアウトパネル装置の一面が落下した各防護カバーで被われた状態で、主蒸気管トンネル室７内の圧力が上昇する事故が発生した場合には、防護カバーの存在によりブローアウトパネルの破断が遅れる（またはブローアウトパネルが破断しない）事態となり、主蒸気管トンネル室７内の圧力の低下が遅くなる（または圧力が低下しない）。本実施例は、沸騰水型原子力発電プラントの運転中に各防護カバー１３がサブブローアウトパネル装置の下端に位置した収納ボックス１９内に収納されているので、その運転中に各防護カバーが落下することは無く、運転中にブローアウトパネル装置の前面が防護カバーで被われるという問題が発生しない。
【００２７】
各防護カバー１３は互いに繋ぎリング１４によってつながれているので、保守点検終了後に防護カバー１３を降ろすとき、収納ボックス１９内で防護カバー１３を容易に折り畳んで積み重ねることができる。
【００２８】
各防護カバー１３の両端部がガイドレール２１Ａ，２１Ｂ内に配置されるので、防護カバー１３の上昇及び下降を、ガイドレール２１Ａ，２１Ｂによって円滑に行うことができる。また、ガイドレール２１Ａ，２１Ｂによって、防護カバー１３のガタツキが抑制され、保守点検時にブローアウトパネル１１の前面を被うっている防護カバー１３に衝撃力が加わっても、防護カバー１３を安定性を保つことができる。
【００２９】
全ての防護カバー１３が収納ボックス１９に収納された後、吊りワイヤ１６Ａ，１６Ｂが、サブブローアウトパネル装置８Ａの縦方向に伸びる２つのフレーム９に別々に重なっている。このため、吊りワイヤ１６Ａ，１６Ｂは、沸騰水型原子力発電プラントの運転時においてもそのままの状態に保持することができ、沸騰水型原子力発電プラントの運転開始前に取り外す必要がない。
【００３０】
ブローアウトパネル防護装置１２は、サブブローアウトパネル装置８Ａの、圧力上昇時に圧力が加わる面とは反対側の面にも向い合せて配置しても良い。
【実施例２】
【００３１】
本発明の他の実施例である実施例２のブローアウトパネル防護装置を、図３を用いて説明する。本実施例のブローアウトパネル防護装置１２Ａは、実施例１のブローアウトパネル防護装置１２において吊りワイヤを１本にした構成を有する。ブローアウトパネル防護装置１２Ａの他の構造は、ブローアウトパネル防護装置１２と実質的に同じである。
【００３２】
ブローアウトパネル防護装置１２と異なる部分について説明する。巻き取り装置１５に巻き付けられる吊りワイヤ１６Ｃは、滑車２５，１８及びフック１７Ａに掛けられる。この吊りワイヤ１６Ｃは、最も上端に位置する防護カバー１３の上端に設けられた２つの釣具２４Ａ，２４Ｂに取り付けられたワイヤ２５に取り付けられる。
【００３３】
巻き取り装置１５を正回転させることによって、吊りワイヤ１６Ｃを巻き取り装置１５に巻き付け、各防護カバー１３を上昇させることができる。巻き取り装置１５を逆回転させたとき、吊りワイヤ１６Ｃが巻き取り装置１５から巻き戻され、各防護カバー１３を下降させることができる。このように、防護カバー１３の上昇及び下降を１本の吊りワイヤ１６Ｃで行うことができる。防護カバー１３が収納ボックス１９内に収納されたとき、吊りワイヤ１６Ｃは、実施例１と同様に、フレーム９（図示せず）に重なっている。
【００３４】
本実施例も、実施例１で生じる各効果を得ることができる。本実施例は、吊りワイヤが１本で済むので、実施例１に比べてブローアウトパネル防護装置の構成を単純化することができる。
【実施例３】
【００３５】
本発明の他の実施例である実施例３のブローアウトパネル防護装置を、図４を用いて説明する。
【００３６】
図５は、ある沸騰水型原子力発電プラントにおけるブローアウトパネル装置を示している。このブローアウトパネル装置８Ｂが、前述のブローアウトパネル装置８と同様に、主蒸気管トンネル室７を仕切るように主蒸気管トンネル室７内に設置されている。主蒸気管トンネル室７内に配置された全ての主蒸気管５が、ブローアウトパネル装置８Ｂを貫通している。ブローアウトパネル装置８Ｂは、縦横に配置された複数のフレーム９によって構成された支持枠１０Ａに複数のブローアウトパネル１１を取り付けて構成されている。ブローアウトパネル装置８Ｂの、主蒸気管５が貫通する部分には、支持枠１０Ａと主蒸気管５の間を塞ぐように、鋼板２６がそれぞれ配置される。これらの鋼板２６は支持枠１０Ａに取り付けられる。
【００３７】
このブローアウトパネル装置８Ｂに対して、複数のブローアウトパネル防護装置が、図４に示すように配置される。すなわち、図４において、１基のブローアウトパネル防護装置１２Ｂ、１基のブローアウトパネル防護装置１２Ｃ、２基のブローアウトパネル防護装置１２Ｄ、４基のブローアウトパネル防護装置１２Ｅ、４基のブローアウトパネル防護装置１２Ｆ及び３基のブローアウトパネル防護装置１２Ｇが設けられる。ブローアウトパネル防護装置１２Ｂは、上下方向に二列に配置された１４枚のブローアウトパネル１１と向かい合うことができる。ブローアウトパネル防護装置１２Ｃは上下方向に二列に配置された１０枚のブローアウトパネル１１と向かい合うことができる。ブローアウトパネル防護装置１２Ｄは水平方向に一列に配置された６枚のブローアウトパネル１１と向かい合うことができる。ブローアウトパネル防護装置１２Ｅは上下方向に二列に配置された６枚のブローアウトパネル１１と向かい合うことができる。ブローアウトパネル防護装置１２Ｆは水平方向に配置された２枚のブローアウトパネル１１と向かい合うことができる。ブローアウトパネル防護装置１２Ｇは上下方向に配置された２枚のブローアウトパネル１１と向かい合うことができる。
【００３８】
ブローアウトパネル防護装置１２Ｂ〜１２Ｇのそれぞれは、大きさは異なるが、図１に示すブローアウトパネル防護装置１２と同じ構成を有する。図４に示したブローアウトパネル防護装置１２Ｂ〜１２Ｇは、各防護カバー１３を対応するサブブローアウトパネル装置の上端まで上昇させた状態を示している。ブローアウトパネル防護装置１２Ｂ〜１２Ｇの各防護カバー１３は、図４において破線で示す枚数のブローアウトパネル１１の前面を被っている。
【００３９】
本実施例も、実施例１で生じる各効果を得ることができる。
【図面の簡単な説明】
【００４０】
【図１】本発明の好適な一実施例である、沸騰水型原子力発電プラントの主蒸気管トンネル室に配置されたブローアウトパネル装置に面して配置された実施例１のブローアウトパネル防護装置の斜視図である。
【図２】図１に示すブローアウトパネル装置及びブローアウトパネル防護装置が設置される沸騰水型原子力発電プラントの原子炉建屋の局部横断面図である。
【図３】本発明の他の実施例である実施例２のブローアウトパネル防護装置の斜視図である。
【図４】本発明の他の実施例である実施例３のブローアウトパネル防護装置の正面図である。
【図５】図４に示すブローアウトパネル防護装置が配置される、ブローアウトパネル装置の正面図である。
【符号の説明】
【００４１】
１…原子炉建屋、３…原子炉圧力容器、５…主蒸気管、７…主蒸気管トンネル室、８，８Ｂ，２２，２３…ブローアウトパネル装置、１０，１０Ａ…支持枠、１１…ブローアウトパネル、１２，１２Ａ，１２Ｂ，１２Ｃ，１２Ｄ，１２Ｅ，１２Ｆ，１２Ｇ…ブローアウトパネル防護装置、１３…防護カバー、１５…巻き取り装置、１６Ａ，１６Ｂ，１６Ｃ…吊りワイヤ、１９…収納ボックス。
【図１】
2010078422.tif 000003
【図２】
2010078422.tif 000004
【図３】
2010078422.tif 000005
【図４】
2010078422.tif 000006
【図５】
2010078422.tif 000007